(57)【特許請求の範囲】
【請求項１】
同一金種の硬貨が所定枚数集積されて棒状に包装された包装硬貨を搬送する包装硬貨搬送機構であって、
前記包装硬貨を載置させその軸線方向に沿って搬送する搬送ベルトを有する包装硬貨搬送手段と、
該包装硬貨搬送手段で搬送中の前記包装硬貨の径方向の位置決めを行うガイド手段と、
該ガイド手段によって位置決めされた前記包装硬貨と前記搬送ベルトを挟んで対向する位置に配置された磁気センサ、および、該磁気センサの出力信号に基づいて前記包装硬貨の異常としての硬貨枚数の過不足の有無を判定する制御手段を有する過不足検出手段と、
を備える包装硬貨搬送機構。
【請求項２】
前記ガイド手段は、
前記包装硬貨搬送手段で搬送中の包装硬貨を径方向両側から挟んで案内する二つのガイドブロックと、
これら二つのガイドブロックを互いに近接離間可能となるように支持し、これら二つのガイドブロックにより前記包装硬貨を、前記搬送ベルトと接する当接位置が金種に関わらず略一定となるように径方向に位置決めする支持手段と、
を有することを特徴とする請求項１に記載の包装硬貨搬送機構。
【請求項３】
前記制御手段は、
前記磁気センサの出力信号から前記包装硬貨の硬貨間の硬貨隙間を検出し、該硬貨隙間の数から前記包装硬貨の硬貨枚数の過不足の有無を判定することを特徴とする請求項１または２に記載の包装硬貨搬送機構。
【請求項４】
前記制御手段は、
前記磁気センサの出力信号値の変化量が、予め定められた開始基準値になると前記包装硬貨の検出開始を判断し、前記磁気センサの出力信号値の変化量が、予め定められた終了基準値になると前記包装硬貨の検出終了を判断するとともに、前記検出開始から前記検出終了までの検出期間における前記磁気センサの出力信号に基づいて前記包装硬貨の硬貨枚数の過不足の有無を判定することを特徴とする請求項３に記載の包装硬貨搬送機構。
【請求項５】
前記制御手段は、
前記検出期間における前記磁気センサの出力信号値の変化量が予め定められた硬貨隙間検出基準値になると前記硬貨隙間があると判断することを特徴とする請求項４に記載の包装硬貨搬送機構。
【請求項６】
前記硬貨隙間検出基準値は、
硬貨の金種毎に予め定められて記憶されていることを特徴とする請求項５に記載の包装硬貨搬送機構。
【請求項７】
前記硬貨隙間検出基準値は、
包装すべき金種の設定に合わせて選択されることを特徴とする請求項５または６に記載の包装硬貨搬送機構。
【請求項８】
前記制御手段は、
前記硬貨隙間を移動距離情報と連携させて記憶し隣り合う前記硬貨隙間間の距離が予め定められた厚さ基準値より小さいときに異常としての変形硬貨の混入と判断することを特徴とする請求項３ないし７のいずれか一項に記載の包装硬貨搬送機構。
【請求項９】
前記制御手段は、
前記硬貨隙間を移動距離情報と連携させて記憶し、連続する３つの前記硬貨隙間において隣り合う硬貨隙間間の２つの距離の少なくとも一方が予め定められた厚さ基準値より小さく、かつ、一番目の硬貨隙間と三番目の硬貨隙間との間の距離が予め定められた厚さ基準範囲内にあるとき、連続する３つの硬貨隙間のうちの中央の硬貨隙間を硬貨隙間でないと判断することを特徴とする請求項３ないし８のいずれか一項に記載の包装硬貨搬送機構。
【請求項１０】
前記制御手段は、
前記硬貨隙間の数に１を加えた数を包装硬貨検出枚数とするとともに該包装硬貨検出枚数を予め定められた包装基準枚数と比較することで、前記包装硬貨の硬貨枚数の過不足の有無を判定することを特徴とする請求項３ないし９のいずれか一項に記載の包装硬貨搬送機構。
【請求項１１】
前記制御手段は、
前記硬貨隙間間の前記磁気センサの出力信号から異常としての異金種の有無を判断することを特徴とする請求項３ないし１０のいずれか一項に記載の包装硬貨搬送機構。
【請求項１２】
前記制御手段は、
前記硬貨隙間間の前記磁気センサの出力信号が包装されるべき金種の基準範囲外であるときに異金種であると判断することを特徴とする請求項１１に記載の包装硬貨搬送機構。
【請求項１３】
前記制御手段は、
前記硬貨隙間間の前記磁気センサの出力信号の隣り合うもの同士の差が予め定められた基準範囲外であるときに異金種であると判断することを特徴とする請求項１１または１２に記載の包装硬貨搬送機構。
【請求項１４】
前記制御手段は、
一つの前記硬貨隙間を検出する間の移動距離情報から異常としての変形硬貨の混入を判断することを特徴とする請求項３ないし１３のいずれか一項に記載の包装硬貨搬送機構。
【請求項１５】
前記制御手段は、
前記異常を検出したときに警告することを特徴とする請求項１ないし１４のいずれか一項に記載の包装硬貨搬送機構。
【発明の詳細な説明】
【技術分野】
【０００１】
本発明は、包装硬貨を搬送する包装硬貨搬送機構に関する。
【背景技術】
【０００２】
硬貨を所定枚数集積して包装する硬貨包装機として、回転円盤および硬貨通路で一枚ずつ送り出された硬貨を積み重ね状態に集積する集積部と、集積部で集積された集積硬貨の周面に包装紙を供給して巻き付けるとともに、巻き付けた包装紙を加締めて包装硬貨を作製する包装部とを有するものがある。この種の硬貨包装機において、集積部から包装部に向けて集積硬貨を下降させる際に、集積部と包装部との間に配置されたフォトセンサで集積硬貨の移動量を計測してその集積方向の長さ寸法を割り出し、集積枚数の過不足の有無を判定する硬貨包装機が提案されている（例えば特許文献１参照）。
【先行技術文献】
【特許文献】
【０００３】
【特許文献１】特開平１０−２４９０９号公報（段落「００１３」〜「００１７」、図２、図３、図８）
【発明の概要】
【発明が解決しようとする課題】
【０００４】
しかしながら、上述した硬貨包装機のように、集積硬貨全体の集積方向の長さ寸法に基づいて集積枚数の過不足の有無を判定するものであると、集積硬貨の一部に、長さ寸法に影響を与える変形硬貨が混入していたときは、誤判定してしまう可能性があった。
【０００５】
本発明は、上記問題に鑑みなされたもので、例え変形硬貨が混入していたとしても包装硬貨の硬貨枚数の過不足の有無を適正に判定することができる包装硬貨搬送機構の提供を目的とする。
【課題を解決するための手段】
【０００６】
上記目的を達成するために、請求項１に係る発明は、同一金種の硬貨が所定枚数集積されて棒状に包装された包装硬貨を搬送する包装硬貨搬送機構であって、前記包装硬貨を載置させその軸線方向に沿って搬送する搬送ベルトを有する包装硬貨搬送手段と、該包装硬貨搬送手段で搬送中の前記包装硬貨の径方向の位置決めを行うガイド手段と、該ガイド手段によって位置決めされた前記包装硬貨と前記搬送ベルトを挟んで対向する位置に配置された磁気センサ、および、該磁気センサの出力信号に基づいて前記包装硬貨の異常としての硬貨枚数の過不足の有無を判定する制御手段を有する過不足検出手段と、を備えている。
【０００７】
請求項２に係る発明は、請求項１に係る発明において、前記ガイド手段は、前記包装硬貨搬送手段で搬送中の包装硬貨を径方向両側から挟んで案内する二つのガイドブロックと、これら二つのガイドブロックを互いに近接離間可能となるように支持し、これら二つのガイドブロックにより前記包装硬貨を、前記搬送ベルトと接する当接位置が金種に関わらず略一定となるように径方向に位置決めする支持手段と、を有することを特徴とする。
【０００８】
請求項３に係る発明は、請求項１または２に係る発明において、前記制御手段は、前記磁気センサの出力信号から前記包装硬貨の硬貨間の硬貨隙間を検出し、該硬貨隙間の数から前記包装硬貨の硬貨枚数の過不足の有無を判定することを特徴とする。
【０００９】
請求項４に係る発明は、請求項３に係る発明において、前記制御手段は、前記磁気センサの出力信号値の変化量が、予め定められた開始基準値になると前記包装硬貨の検出開始を判断し、前記磁気センサの出力信号値の変化量が、予め定められた終了基準値になると前記包装硬貨の検出終了を判断するとともに、前記検出開始から前記検出終了までの検出期間における前記磁気センサの出力信号に基づいて前記包装硬貨の硬貨枚数の過不足の有無を判定することを特徴とする。
【００１０】
請求項５に係る発明は、請求項４に係る発明において、前記制御手段は、前記検出期間における前記磁気センサの出力信号値の変化量が予め定められた硬貨隙間検出基準値になると前記硬貨隙間があると判断することを特徴とする。
【００１１】
請求項６に係る発明は、請求項５に係る発明において、前記硬貨隙間検出基準値は、硬貨の金種毎に予め定められて記憶されていることを特徴とする。
【００１２】
請求項７に係る発明は、請求項５または６に係る発明において、前記硬貨隙間検出基準値は、包装すべき金種の設定に合わせて選択されることを特徴とする。
【００１３】
請求項８に係る発明は、請求項３ないし７のいずれか一項に係る発明において、前記制御手段は、前記硬貨隙間を移動距離情報と連携させて記憶し隣り合う前記硬貨隙間間の距離が予め定められた厚さ基準値より小さいときに異常としての変形硬貨の混入と判断することを特徴とする。
【００１４】
請求項９に係る発明は、請求項３ないし８のいずれか一項に係る発明において、前記制御手段は、前記硬貨隙間を移動距離情報と連携させて記憶し、連続する３つの前記硬貨隙間において隣り合う硬貨隙間間の２つの距離の少なくとも一方が予め定められた厚さ基準値より小さく、かつ、一番目の硬貨隙間と三番目の硬貨隙間との間の距離が予め定められた厚さ基準範囲内にあるとき、連続する３つの硬貨隙間のうちの中央の硬貨隙間を硬貨隙間でないと判断することを特徴とする。
【００１５】
請求項１０に係る発明は、請求項３ないし９のいずれか一項に係る発明において、前記制御手段は、前記硬貨隙間の数に１を加えた数を包装硬貨検出枚数とするとともに該包装硬貨検出枚数を予め定められた包装基準枚数と比較することで、前記包装硬貨の硬貨枚数の過不足の有無を判定することを特徴とする。
【００１６】
請求項１１に係る発明は、請求項３ないし１０のいずれか一項に係る発明において、前記制御手段は、前記硬貨隙間間の前記磁気センサの出力信号から異常としての異金種の有無を判断することを特徴とする。
【００１７】
請求項１２に係る発明は、請求項１１に係る発明において、前記制御手段は、前記硬貨隙間間の前記磁気センサの出力信号が包装されるべき金種の基準範囲外であるときに異金種であると判断することを特徴とする。
【００１８】
請求項１３に係る発明は、請求項１１または１２に係る発明において、前記制御手段は、前記硬貨隙間間の前記磁気センサの出力信号の隣り合うもの同士の差が予め定められた基準範囲外であるときに異金種であると判断することを特徴とする。
【００１９】
請求項１４に係る発明は、請求項３ないし１３のいずれか一項に係る発明において、前記制御手段は、一つの前記硬貨隙間を検出する間の移動距離情報から異常としての変形硬貨の混入を判断することを特徴とする。
【００２０】
請求項１５に係る発明は、請求項１ないし１４のいずれか一項に係る発明において、前記制御手段は、前記異常を検出したときに警告することを特徴とする。
【発明の効果】
【００２１】
請求項１に係る発明によれば、搬送ベルトがこれに載置された包装硬貨をその軸線方向に沿って搬送すると、ガイド手段がこの搬送中の包装硬貨の径方向の位置決めを行うことになり、このようにガイド手段によって位置決めされた包装硬貨と搬送ベルトを挟んで対向する位置に配置された磁気センサが磁気データを検出して、制御手段がこの磁気センサの出力信号に基づいて包装硬貨の異常としての硬貨枚数の過不足の有無を判定する。このように、磁気センサの出力信号を用いるため、変形硬貨による影響を排除可能となる。したがって、例え変形硬貨が混入していたとしても包装硬貨の硬貨枚数の過不足の有無を適正に判定することができる。また、搬送ベルト上に載置される包装硬貨に対して、搬送ベルトを挟んで対向する位置に磁気センサを配置するため、金種によらずに包装硬貨と磁気センサとの高さ関係を一定にすることができる。したがって、磁気センサの金種による高さ調整が不要となり、簡素な構造で硬貨枚数の過不足の有無を判定することができる。
【００２２】
請求項２に係る発明によれば、支持手段が、包装硬貨搬送手段で搬送中の包装硬貨を径方向両側から挟んで案内する二つのガイドブロックを互いに近接離間可能となるように支持し、これら二つのガイドブロックにより包装硬貨を、搬送ベルトと接する当接位置が金種に関わらず略一定となるように径方向に位置決めする。したがって、簡素な構造で全金種の包装硬貨の径方向の位置決めを行うことができる。
【００２３】
請求項３に係る発明によれば、制御手段は、磁気センサの出力信号から包装硬貨の硬貨間の硬貨隙間を検出し、この硬貨隙間の数から包装硬貨の硬貨枚数の過不足の有無を判定するため、変形や摩耗による影響が累積してしまう、包装硬貨の全長から硬貨枚数の過不足の有無を判定する場合と比べて、より正確に硬貨枚数の過不足の有無を判定することができる。
【００２４】
請求項４に係る発明によれば、制御手段は、磁気センサの出力信号値の変化量が、予め定められた開始基準値になると包装硬貨の検出開始を判断し、予め定められた終了基準値になると包装硬貨の検出終了を判断することになるため、検出開始から検出終了までの適正な検出期間における磁気センサの出力信号から包装硬貨の硬貨枚数の過不足の有無を判定することができる。
【００２５】
請求項５に係る発明によれば、制御手段は、検出期間における磁気センサの出力信号値の変化量が予め定められた硬貨隙間検出基準値になると硬貨間の硬貨隙間があると判断するため、硬貨間の硬貨隙間を適正に検出することができる。
【００２６】
請求項６に係る発明によれば、硬貨隙間検出基準値が、硬貨の金種毎に予め定められて記憶されているため、金種毎に適正に、硬貨間の硬貨隙間を検出することができる。
【００２７】
請求項７に係る発明によれば、硬貨隙間検出基準値が、包装すべき金種の設定に合わせて選択されるため、選択された設定金種の硬貨間の硬貨隙間を適正に検出することができる。
【００２８】
請求項８に係る発明によれば、制御手段が、硬貨隙間間の距離つまり硬貨の厚さが予め定められた厚さ基準値より小さいときに異常としての変形硬貨（つぶれ硬貨）の混入と判断するため、変形硬貨の混入を適正に検出することができる。
【００２９】
請求項９に係る発明によれば、制御手段が、連続する３つの硬貨隙間において隣り合う硬貨隙間間の２つの距離の少なくとも一方が予め定められた厚さ基準値より小さく、かつ、一番目の硬貨隙間と三番目の硬貨隙間との間の距離が予め定められた厚さ基準範囲内にあるとき、連続する３つの硬貨隙間のうちの中央の硬貨隙間を硬貨隙間でないと判断するため、硬貨外周面についた傷などによる影響を排除可能となる。
【００３０】
請求項１０に係る発明によれば、制御手段は、硬貨隙間の数に１を加えた数を包装硬貨検出枚数とするとともに、この包装硬貨検出枚数を予め定められた包装基準枚数と比較することで、包装硬貨の硬貨枚数の過不足の有無を判定するため、変形や摩耗による影響が累積してしまう、包装硬貨の全長から硬貨枚数の過不足の有無を判定する場合と比べて、より正確に硬貨枚数の過不足の有無を判定することができる。
【００３１】
請求項１１に係る発明によれば、制御手段が、硬貨隙間間の磁気センサの出力信号値から異常としての異金種の有無を判断することになるため、異金種の混入を検出することができる。
【００３２】
請求項１２に係る発明によれば、制御手段が、硬貨隙間間の磁気センサの出力信号値が集積されるべき金種の基準範囲外であるときに異金種であると判断するため、適正に異金種の混入を検出することができる。
【００３３】
請求項１３に係る発明によれば、制御手段が、硬貨隙間間の磁気センサの出力信号値の隣り合うもの同士の差が予め定められた基準範囲外であるときに異金種であると判断するため、適正に異金種の混入を検出することができる。
【００３４】
請求項１４に係る発明によれば、制御手段が、一つの硬貨隙間を検出する間の移動距離情報から異常としての変形硬貨（折れ硬貨）の混入を判断するため、変形硬貨の混入を検出することができる。
【００３５】
請求項１５に係る発明によれば、制御手段が、異常を検出したときに警告することになるため、異常が見逃されてしまうことを防止できる。
【図面の簡単な説明】
【００３６】
【図１】本発明の一実施形態に係る包装硬貨搬送機構を含む硬貨包装機の基本構成を示す斜視図である。
【図２】本発明の一実施形態に係る包装硬貨搬送機構を含む硬貨包装機のブロック図である。
【図３】本発明の一実施形態に係る包装硬貨搬送機構を示す側面図である。
【図４】本発明の一実施形態に係る包装硬貨搬送機構を示す平面図である。
【図５】本発明の一実施形態に係る包装硬貨搬送機構を示す正面図である。
【図６】本発明の一実施形態に係る包装硬貨搬送機構の包装硬貨と磁気センサの出力信号値との関係を示す線図である。
【図７】図６の線図のＸ部の拡大図である。
【発明を実施するための形態】
【００３７】
本発明の一実施形態に係る包装硬貨搬送機構を含む硬貨包装機を図面を参照しつつ以下に説明する。
【００３８】
図１に示すように、硬貨包装機１０は、同一金種の硬貨が一括投入される回転円盤１１を有しており、この回転円盤１１内の硬貨は、回転円盤１１の遠心力および図示しない通過規制部による重なり規制により、硬貨通路１２に向けて一枚ずつ送り出されるようになっている。
【００３９】
硬貨通路１２は、その上方位置に硬貨を一枚ずつ送るベルト機構１３を有しており、その端末位置には、硬貨の送り出しを許容および規制する図２に示す送出ストッパ１４が設けられている。
【００４０】
上記した回転円盤１１、硬貨通路１２、ベルト機構１３および送出ストッパ１４と、回転円盤１１およびベルト機構１３を駆動する図２に示す送出モータ１５とが、硬貨を一枚ずつ送り出す硬貨搬送機構１６を構成している。
【００４１】
硬貨通路１２の途中位置には、図２に示す硬貨識別部２０が設けられており、硬貨の真偽および金種が識別されるとともに計数および送り出しのタイミング検出が行われるようになっている。
【００４２】
硬貨搬送機構１６の硬貨通路１２を経由した硬貨は、所定枚数の硬貨を上下方向に集積させる集積部２３に供給されるようになっている。
【００４３】
集積部２３は、螺旋状の突起部２４をそれぞれ有する一対の集積ドラム２５を有している。これら集積ドラム２５は、相互の突起部２４の高さ位置を一致させた状態で、図２に示すドラムモータ２６により、硬貨通路１２からの硬貨の供給に同期させて、互いに反対方向に間欠的に回転駆動させられるようになっている。
【００４４】
これにより、硬貨通路１２から送り出された硬貨が一対の集積ドラム２５の突起部２４に乗せられて集積ドラム２５の回転により一段下降させられ、その後に供給された硬貨が先の硬貨の上に積み重ねられる結果、これら集積ドラム２５間に、複数の硬貨が上下方向に積み重ね状態に集積され、これにより集積硬貨が形成されるようになっている。
【００４５】
また、これら集積ドラム２５を含む集積部２３の下方には、集積硬貨を包装して包装硬貨とする包装部３０が設けられており、集積部２３と包装部３０との間には、閉状態で集積部２３からの包装部３０への硬貨の進入を規制するとともに開状態で集積部２３からの包装部３０への硬貨の進入を許容する進入防止シャッタ３１が設けられている。
【００４６】
進入防止シャッタ３１は、集積部２３の集積ドラム２５と包装部３０との間に水平に配置される平板状のベース部材３３を有しており、このベース部材３３には、集積ドラム２５から突起部２４の支持が解除されることで落下する集積硬貨の落下方向に、集積硬貨を通過可能な直径の通過穴３４が貫通形成されている。また、進入防止シャッタ３１は、ベース部材３３の通過穴３４を開閉するシャッタ部材３５を有している。
【００４７】
包装部３０は、進入防止シャッタ３１のシャッタ部材３５が開かれることで通過穴３４から落下させられた集積硬貨を下から支える支持棒４１と、この支持棒４１の周囲に鉛直方向に沿って配置される３本の平行な包装ローラ４３ａ，４３ｂ，４３ｃからなる包装ローラ群４４により集積硬貨の周囲に包装紙４５を巻回する包装機構４６と、巻回された包装紙４５を集積硬貨の上下端において加締めて包装硬貨とする加締機構４８とを有している。包装ローラ４３ａ，４３ｂ，４３ｃは、図２に示す包装モータ５０によって、その軸心回りに回転駆動されるようになっている。つまり、包装部３０は、集積部２３で同一金種の所定枚数の硬貨が集積されてなる集積硬貨の周面に包装紙４５を供給して巻き付けるとともに、該巻き付けた包装紙４５を加締めて棒状の包装硬貨を作製する。
【００４８】
包装機構４６の包装ローラ群４４において、３本の平行な包装ローラ４３ａ，４３ｂ，４３ｃのうちの所定の２本の包装ローラ４３ａ，４３ｂは位置固定であり、残りの所定の１本の包装ローラ４３ｃが、図２に示すカムモータ５１で駆動される図示しない包装ローラカムの作動により包装ローラ４３ａ，４３ｂに対し平行状態のまま近接および離間するように移動可能に設けられている。また、進入防止シャッタ３１のシャッタ部材３５は、包装ローラ４３ｃの包装ローラ４３ａ，４３ｂへの近接作動つまり包装ローラ群４４の閉作動に連動して閉じ、包装ローラ４３ｃの包装ローラ４３ａ，４３ｂからの離間作動つまり包装ローラ群４４の開作動に連動して開くようになっている。
【００４９】
集積硬貨の集積部２３から包装部３０への移送は、進入防止シャッタ３１の下側で待機する支持棒４１によって行われる。この支持棒４１は、包装ローラ４３ｂ，４３ｃ間の隙間に挿入された状態で、昇降可能に設けられた支持アーム５５の先端に固定されており、進入防止シャッタ３１のすぐ下に配置された上昇状態で、図示しない包装ローラカムの作動によって包装ローラ群４４が開作動しかつ進入防止シャッタ３１が開放されると、進入防止シャッタ３１の通過穴３４を介して落下する集積硬貨をその上端に受け止め、その後に、図２に示すカムモータ５１で駆動される図示しない支持アーム垂直動作カムの作動により鉛直方向に下降させられることによって、集積硬貨を開状態にある包装ローラ群４４の３本の包装ローラ４３ａ，４３ｂ，４３ｃの間に配置するようになっている。
【００５０】
包装機構４６は、このようにして包装ローラ４３ａ，４３ｂ，４３ｃ間に配置された集積硬貨に対して、図２に示すカムモータ５１で駆動される図示しない包装ローラ開閉カムの作動によって包装ローラ４３ａ，４３ｂに包装ローラ４３ｃを近接させることにより包装ローラ群４４を閉状態にし、これら包装ローラ４３ａ，４３ｂ，４３ｃによって集積硬貨をその半径方向３方向から挟持するようになっている。また、これら包装ローラ４３ａ，４３ｂ，４３ｃの近くには、一対の包装紙供給ローラ５８が設けられており、図２に示す包装紙供給モータ５９の駆動によるこれら包装紙供給ローラ５８の回転によって、包装紙４５が集積硬貨と包装ローラ群４４との間に供給されるようになっている。そして、包装紙供給ローラ５８によって包装紙４５を集積硬貨と包装ローラ群４４との間に供給した状態で、図２に示す包装モータ５０の駆動により包装ローラ群４４を回転させることによって、包装紙４５が集積硬貨の円筒状の周面に巻回されるようになっている。なお、包装紙供給ローラ５８と包装ローラ群４４との間には、包装紙４５を切断するためのカッタ６０が設けられている。
【００５１】
加締機構４８は、図２に示すカムモータ５１で駆動される図示しない加締爪逃がしカムの作動により包装ローラ４３ａ，４３ｂ間の隙間から集積硬貨の上下位置に挿入されるとともに、同じくカムモータ５１で駆動される図示しない加締爪垂直動作カムの作動により上下方向に沿って近接離間させられる一対の加締爪６４，６５を具備している。すなわち、包装紙４５は、集積硬貨の高さよりも大きな幅寸法を有するものであり、一対の加締爪６４，６５は、図示しない加締爪垂直動作カムの作動により近接方向に移動させられることで、集積硬貨の周囲に巻回された包装紙４５の集積硬貨から上下に突出する部分を内側に丸めるように加締める。
【００５２】
なお、包装された包装硬貨を下方に落下させる際に、図２に示すカムモータ５１で駆動される図示しない包装ローラ開閉カムの作動によって包装ローラ４３ａ，４３ｂから包装ローラ４３ｃを離間させることにより包装ローラ群４４を開状態にし、これら包装ローラ４３ａ，４３ｂ，４３ｃによる包装硬貨の挟持を解除しつつ、支持棒４１が、同じくカムモータ５１で駆動される図示しない支持アーム逃がしカムの作動によって包装ローラ群４４から離間する横方向に逃げることなる。これにより、包装部３０から包装硬貨が落下することになる。
【００５３】
包装部３０の下方には、包装部３０から軸線方向を上下にした姿勢で落下する包装硬貨を軸線方向が水平に沿うように姿勢変更しつつ案内するシュート７０と、このシュート７０から受け入れた包装硬貨を載置させて包装硬貨の軸線方向に沿って搬送する本実施形態に係る包装硬貨搬送機構７１とが設けられている。なお、包装硬貨搬送機構７１のシュート７０とは反対側の端末位置には、適正枚数の集積硬貨が包装紙４５で包装されてなる包装硬貨を受け入れる図示しないロールシュート、包装硬貨の集積枚数が適正でない場合等にこれを受け入れる図示しないリジェクトボックス、および、包装硬貨を、ロールシュートまたはリジェクトボックスに振り分ける図示しないゲートが設けられている。ゲートは図２に示すゲートソレノイド６６で振り分け方向が切り換えられる。
【００５４】
本実施形態に係る包装硬貨搬送機構７１は、図３〜図５に示すように、包装硬貨Ｃを載置させて搬送する無端の搬送ベルト７４と、互いに水平方向に離間して平行に配置されるとともに搬送ベルト７４を巻回させる一対のローラ７５と、一方のローラ７５を回転駆動する図２に示す搬送モータ７６とからなる包装硬貨搬送部（包装硬貨搬送手段）７７を有している。ここで、搬送ベルト７４の一対のローラ７５間の上部を構成する上辺部７８上に、シュート７０からの包装硬貨Ｃが放出されることになり、その際に、包装硬貨Ｃは、その軸線方向を上辺部７８の長手方向に沿わせる姿勢で放出されることになる。そして、包装硬貨Ｃは、この姿勢で搬送ベルト７４の上辺部７８上に載置されて上辺部７８と一体にその軸線方向に沿って移動する。搬送モータ７６はローラ７５を所定の一定速度で回転駆動することになり、その結果、搬送ベルト７４は所定の一定の搬送速度で包装硬貨Ｃを搬送することになる。搬送ベルト７４の端末位置に、上記したゲートが配置される。
【００５５】
また、包装硬貨搬送機構７１は、搬送ベルト７４で搬送中の包装硬貨Ｃの径方向の位置決めを行うガイド部（ガイド手段）８１を有している。このガイド部８１は、搬送ベルト７４の上辺部７８の上側に搬送方向に対して左右に設けられた二つのガイドブロック８２と、これら二つのガイドブロック８２を互いに近接・離間可能となるように支持する支持機構（支持手段）８３とを有している。
【００５６】
二つのガイドブロック８２は、互いに対向する対向面８５が鉛直方向に沿っている。そして、これらの対向面８５は、鏡面対称形状をなし、搬送ベルト７４の搬送方向における上流側が、下流側ほど互いに近接する傾斜面部８６とされ、下流側が、搬送方向に平行な位置決め面部８７とされている。
【００５７】
支持機構８３は、図示は略すが、例えば、二つのガイドブロック８２のそれぞれの上面に固定されるスライドブロックと、これらスライドブロックの両方を摺動可能に支持するスライド軸と、軸線方向両側に等ピッチの逆ネジが形成されてそれぞれのネジでスライドブロックに螺合するネジ軸と、ネジ軸を回転させるステッピングモータからなる図２に示す位置決めモータ９３とを有している。支持機構８３は、位置決めモータ９３がネジ軸を一方向に回転させると、二つのスライドブロックがスライド軸上を摺動しながら互いに近接することになり、これにより、二つのガイドブロック８２を平行状態のまま近接させることになる。また、支持機構８３は、位置決めモータ９３がネジ軸を逆方向に回転させると、二つのスライドブロックがスライド軸上を摺動しながら互いに離間することになり、これにより、二つのガイドブロック８２を平行状態のまま離間させることになる。このような構造を採用することにより、支持機構８３は、二つのガイドブロック８２を上記した姿勢のまま、搬送ベルト７４の上辺部７８の幅方向の中心線に対し常に等間隔をなすようにして相互に近接・離間させる。
【００５８】
この支持機構８３は、位置決めモータ９３の駆動によって、設定された金種の包装硬貨Ｃの外径に合わせて予め設定記憶されている間隔に、二つのガイドブロック８２の位置決め面部８７の間隔を調整することになり、具体的には、設定された金種の包装硬貨Ｃの外径より若干広い間隔となるように位置決め面部８７の間隔を調整する。なお、搬送ベルト７４の上辺部７８からガイドブロック８２の対向面８５の上端までの高さは、一定であり、少なくとも最も外径の大きい包装硬貨Ｃの半径よりも高くなっている。これにより、ガイドブロック８２の対向面８５は包装硬貨Ｃの径方向の両側の外端位置をガイドする。
【００５９】
よって、ガイド部８１は、設定された金種の包装硬貨Ｃの外径に二つのガイドブロック８２の間隔を合わせた状態にあるとき、軸線方向を上辺部７８の長手方向に沿わせる姿勢で搬送ベルト７４の上辺部７８上に載置されて上辺部７８と一体に移動する搬送中の包装硬貨Ｃを、二つのガイドブロック８２が径方向両側から挟んで案内して包装硬貨Ｃの径方向に位置決めする。つまり、二つのガイドブロック８２の位置決め面部８７によって、包装硬貨Ｃは、搬送ベルト７４と接する当接位置が、金種に関わらず、搬送ベルト７４の上辺部７８の略一定位置である幅方向の中心線上に位置するように、搬送方向に対し左右方向の位置決めがなされる。
【００６０】
そして、包装硬貨搬送機構７１は、ガイド部８１の二つのガイドブロック８２の位置決め面部８７によって位置決めされた包装硬貨Ｃと、搬送ベルト７４の上辺部７８を挟んで対向する位置に磁気センサ９５を有している。この磁気センサ９５は、その検出面９５ａを搬送ベルト７４の上辺部７８に向けており、搬送ベルト７４の搬送方向における位置決め面部８７の中間位置であって搬送ベルト７４の幅方向の中央位置に、位置固定で設けられている。つまり、磁気センサ９５は、ガイド部８１で位置決めされた包装硬貨Ｃの搬送ベルト７４への当接位置の真下に配置されている。
【００６１】
磁気センサ９５は、検出対象の磁気的性質に応じて変化する電圧を磁気データとして検出するものである。磁気センサ７０は、その出力信号に基づいて包装硬貨Ｃの異常としての硬貨枚数の過不足の有無等を判定する図２に示す過不足検出制御部（制御手段）９６とともに過不足検出装置（過不足検出手段）９７を構成している。なお、包装硬貨Ｃが搬送ベルト７４の上辺部７８に全長にわたって当接している状態で、磁気センサ９５上を全長にわたって通過するように、搬送ベルト７４の長さと、搬送方向における磁気センサ９５の位置とが設定されている。
【００６２】
過不足検出制御部９６は、磁気センサ９５の出力信号を増幅する増幅回路１００、増幅回路１００で増幅された磁気センサ９５の出力信号を比較処理等するマイクロコンピュータ１０１および過不足判定用のデータ等を記憶する記憶部１０２とからなっている。記憶部１０２には、磁気センサ９５の出力信号を比較処理する際に用いられる予め定められた基準値および基準範囲等が記憶されている。つまり、例えば、全金種の包装硬貨Ｃの外径にそれぞれ合わせた二つのガイドブロック８２の間隔を得るための位置決めモータ９３の予め定められた回転位置と、磁気センサ９５による集積硬貨の検出開始を判断するための開始基準値と、磁気センサ９５による集積硬貨の検出終了を判断するための終了基準値と、図６に示す硬貨ｃ間の硬貨隙間ｓがあると判断するための硬貨隙間検出基準値と、異常としての変形硬貨を判断するための厚さ基準値と、硬貨ｃの厚さが適正であるか否かを判断するための厚さ基準範囲と、包装硬貨Ｃの単位枚数である包装基準枚数と、硬貨隙間ｓの大きさが適正であるか否かを判断するための硬貨隙間基準範囲とが、それぞれ硬貨ｃの金種毎に予め定められて記憶部１０２に記憶されている。
【００６３】
過不足検出制御部９６は、搬送ベルト７４の搬送によって包装硬貨Ｃがその全長にわたって磁気センサ９５の上方を移動する際の、磁気センサ９５の出力信号から包装硬貨Ｃの過不足の有無等を判定する。
【００６４】
過不足検出制御部９６は、硬貨包装機１０の全体を制御する全体制御部１０５に接続されている。全体制御部１０５には、操作者により操作入力がなされる操作部１０６、操作者に向けて画像出力を行う画像表示部１０７、操作者に向けて音声出力を行う音声出力部１０８等が接続されている。
【００６５】
以上の構成の硬貨包装機１０において、操作部１０６を介して包装すべき包装硬貨Ｃの金種が設定入力されると、全体制御部１０５は、この指定金種を示す指定金種データを過不足検出制御部９６に出力する。すると、過不足検出制御部９６は、この指定金種データに対応する位置決めモータ９３の予め定められた回転位置を記憶部１０２から読み出し、この回転位置に位置決めモータ９３を回転させる。これにより、支持機構８３が、この指定金種データの金種の包装硬貨Ｃの外径より若干広い所定幅にガイドブロック８２の位置決め面部８７の幅を合わせることになる。
【００６６】
そして、回転円盤１１に、基本的に指定金種の硬貨ｃが投入されることになり、この状態で、操作部１０６に包装開始の操作入力が入力されると、全体制御部１０５は、送出モータ１５および搬送モータ７６を駆動する。すると、回転円盤１１およびベルト機構１３が回転することになり、回転円盤１１内の硬貨ｃが、遠心力および図示しない通過規制部による重なり規制により、硬貨通路１２に向けて一枚ずつ送り出され、硬貨通路１２にて、ベルト機構１３により、集積部２３に向けて一枚ずつ移送される。そして、硬貨識別部２０にて、硬貨ｃの真偽および金種が識別されるとともに計数および送り出しのタイミング検出が行われることになる。
【００６７】
硬貨識別部２０にて真の指定金種と識別された硬貨ｃが集積部２３に供給されると、全体制御部１０５は、硬貨識別部２０の検出タイミングに基づいて、ドラムモータ２６を間欠駆動することになる。これにより、待機位置にあった一対の集積ドラム２５の突起部２４上に硬貨ｃが積み重ね状態に集積されることになる。全体制御部１０５は、硬貨識別部２０で指定金種の包装基準枚数の硬貨ｃを計数すると、最後の硬貨ｃの次の硬貨ｃを送出ストッパ１４により停止させるとともに、送出モータ１５を停止させて、次の包装硬貨の作製が開始可能となるまで回転円盤１１およびベルト機構１３を停止させることになる。
【００６８】
なお、集積部２３への送り出しの最中に、上記した硬貨識別部２０により偽硬貨あるいは異金種の硬貨が検出されると、全体制御部１０５は、例えば、この硬貨を送出ストッパ１４により停止させるとともに、送出モータ１５を停止させて回転円盤１１およびベルト機構１３を停止させて、画像表示部１０７および音声出力部１０８でその旨のアラームを発生させる。
【００６９】
上記のように、硬貨識別部２０で指定金種の包装基準枚数の最後の硬貨ｃが検出された後、この硬貨ｃが集積ドラム２５の突起部２４上のすでに集積されている硬貨に積み重ねられるのに必要な時間が経過すると、全体制御部１０５は、ドラムモータ２６により集積ドラム２５をさらに回転させて、突起部２４上の集積硬貨を進入防止シャッタ３１の通過穴３４を塞ぐ閉状態のシャッタ部材３５上に受け渡す。その後、全体制御部１０５は、集積ドラム２５が待機位置となるタイミングでドラムモータ２６を停止させるとともに、カムモータ５１を駆動する。すると、図示しない包装ローラカムの作動によって包装ローラ群４４が開作動しかつ進入防止シャッタ３１のシャッタ部材３５が開作動する。これにより、集積硬貨は、進入防止シャッタ３１の通過穴３４を通過して、上昇位置で待機していた支持棒４１に載置されることになる。
【００７０】
続くカムモータ５１の駆動で、支持棒４１が図示しない支持アーム垂直動作カムの作動により鉛直方向に下降させられることになり、所定の包装位置で停止する。これにより、集積硬貨が開状態にある包装ローラ群４４の３本の包装ローラ４３ａ，４３ｂ，４３ｃの間に配置される。
【００７１】
続くカムモータ５１の駆動で、図示しない包装ローラ開閉カムの作動により包装ローラ４３ａ，４３ｂに包装ローラ４３ｃを近接させることになり、これら包装ローラ４３ａ，４３ｂ，４３ｃによって集積硬貨をその半径方向３方向から挟持する。
【００７２】
続いて、全体制御部１０５は、図２に示す包装紙供給モータ５９を駆動して包装紙供給ローラ５８により包装紙４５を包装硬貨Ｃと包装ローラ群４４との間に供給し、その後、図２に示す包装モータ５０の駆動により包装ローラ群４４を回転させることによって、包装紙４５を包装硬貨Ｃの周面に巻回し、包装紙供給モータ５９を停止させることにより、包装紙４５をカッタ６０で切断する。
【００７３】
また、上記に引き続き行われるカムモータ５１の駆動で、図示しない加締爪逃がしカムの作動により一対の加締爪６４，６５が包装硬貨Ｃの上下に挿入されるとともに、同じくカムモータ５１で駆動される図示しない加締爪垂直動作カムの作動により一対の加締爪６４，６５を近接させる。これにより、一対の加締爪６４，６５が包装硬貨Ｃの周囲に巻回された包装紙４５の包装硬貨Ｃから上下に突出する部分を内側に丸めるように加締める。続くカムモータ５１の駆動で図示しない包装ローラ開閉カムの作動により包装ローラ群４４が開状態となり、支持棒４１が、同じくカムモータ５１で駆動される図示しない支持アーム逃がしカムの作動により包装ローラ群４４から離間する横方向に逃げることなる。これにより、包装硬貨Ｃは、シュート７０に落下し、シュート７０の案内で、軸線方向が水平に沿うように姿勢変更して、包装硬貨搬送機構７１の搬送ベルト７４の上辺部７８の一端上に放出される。
【００７４】
すると、上記した搬送モータ７６の駆動により回転している搬送ベルト７４の上辺部７８とともに、包装硬貨Ｃが、その軸線方向を搬送方向に沿わせた姿勢で、その軸線方向に沿って移動する。そして、この移動中に、包装硬貨Ｃは、二つのガイドブロック８２の間を通り、その前段で、両側の傾斜面部８６で両側の位置決め面部８７の間に案内され、両側の位置決め面部８７で軸線方向を搬送方向と一致させた姿勢となり、かつ搬送ベルト７４と接する当接位置が、搬送ベルト７４の上辺部７８の略一定位置である幅方向の中心線上に位置する。これらの姿勢および位置を維持したまま、両側の位置決め面部８７の案内で、包装硬貨Ｃは、搬送ベルト７４とともに移動することになり、その際に、搬送方向下流側の端部から搬送方向上流側の端部までの全長にわたって、磁気センサ９５の上方を通過することになる。
【００７５】
すると、過不足検出制御部９６が、この包装硬貨Ｃの上方移動の間に得られる磁気センサ９５の、例えば図６に示すような包装硬貨Ｃを非検出の状態からの移動距離毎の出力信号値（電圧）を検出し、この出力信号値から過不足の有無等を判定する。なお、搬送ベルト７４つまり包装硬貨Ｃが所定の一定の搬送速度で移動することから移動時間毎の出力信号値を用いても良い。
【００７６】
つまり、過不足検出制御部９６は、上記した操作部１０６への包装すべき金種の設定に基づいて全体制御部１０５から出力された指定金種データに合わせて、この指定金種データに対応する金種の基準値および基準範囲を記憶部１０２から選択して読み出し、磁気センサ９５の出力信号値の、包装硬貨Ｃを検出していない状態からの変化量が、指定金種データに対応する金種の予め定められた開始基準値になると、包装硬貨Ｃの検出開始を判断し、この検出開始判断時点での包装硬貨Ｃの位置を検出開始位置（図６に示すＬ０）に設定する。
【００７７】
そして、過不足検出制御部９６は、上記した検出開始判断の後、磁気センサ９５の出力信号値が極小値まで下がると一枚目の硬貨ｃの外周面を検出していると判断し、出力信号値がこの極小値から上がり、この極小値からの変化量（図７に示すΔＶ）が、指定金種データに対応する金種の予め定められた硬貨隙間検出基準値になると（図６に示すＬ１の位置）、硬貨ｃ間の硬貨隙間ｓがあると判断してその計数を行う。次に、出力信号値の変化量が硬貨隙間検出基準値よりも大きな所定の終了基準値になることなく下がり、極小値まで下がると次の硬貨ｃの外周面を検出していると判断し、出力信号値がこの極小値から上がり、この極小値からの変化量が硬貨隙間検出基準値になると（図６に示すＬ２の位置）、次に隣り合う硬貨隙間ｓがあると判断してその計数を行い、再び出力信号値の変化量が終了基準値になることなく下がり、極小値まで下がると次の硬貨ｃの外周面を検出していると判断し、この極小値から上がり、この極小値からの変化量が硬貨隙間検出基準値になると（図６に示すＬ３の位置）、次に隣り合う硬貨隙間ｓがあると判断してその計数を行う。このような硬貨ｃの外周面および硬貨ｃ間の硬貨隙間ｓの検出および計数を順次行い、最後に、直前の極小値からの変化量が硬貨隙間検出基準値よりも大きな、指定金種データに対応する金種の所定の終了基準値になると（図６に示すＬｅの位置）、包装硬貨Ｃの検出終了を判断することになる。
【００７８】
つまり、過不足検出制御部９６は、包装硬貨Ｃの検出開始判断のタイミングから検出終了判断のタイミングまでの間の検出期間における磁気センサ９５の出力信号および包装硬貨Ｃの移動距離に基づいて包装硬貨Ｃの硬貨枚数の過不足の有無を判定することになり、硬貨ｃ同士の硬貨隙間ｓと硬貨外周面との出力信号値の差異から硬貨隙間ｓおよび外周面を検出して、硬貨隙間ｓの数を計数する。
【００７９】
過不足検出制御部９６は、上記検出期間において検出したすべての硬貨隙間ｓを、上記検出期間において一定の搬送速度で移動する包装硬貨Ｃの移動距離情報と連携させて記憶部１０２に記憶しており、一の硬貨隙間ｓを検出してからこれに移動方向下流側で隣り合う次の硬貨隙間ｓを検出するまでの包装硬貨Ｃの移動距離である隣り合う硬貨隙間ｓ間の距離（図７に示すｎ）を、すべて、指定金種データに対応する金種の予め定められた厚さ基準値（例えば正常な硬貨隙間ｓ間の距離の９０％の値）と比較する。そして、いずれかの隣り合う硬貨隙間ｓ間の距離が、厚さ基準値より小さいときには、異常としての変形硬貨（つぶれ硬貨）の混入ありと判断する一方、すべての隣り合う硬貨隙間ｓ間の距離が厚さ基準値以上であれば、変形硬貨の混入なしと判断する。変形硬貨が混入していると判断すると、過不足検出制御部９６は、その旨のアラームを画像表示部１０７および音声出力部１０８により出力させる。
【００８０】
また、過不足検出制御部９６は、上記した硬貨隙間ｓ間の距離から、連続する３つの硬貨隙間ｓのすべての組み合わせについて、３つの硬貨隙間ｓ間の２つの距離の少なくとも一方が、指定金種データに対応する金種の予め定められた厚さ基準値より小さく、かつ、一番目の硬貨隙間ｓと三番目の硬貨隙間ｓとの間の距離が、指定金種データに対応する金種の予め定められた厚さ基準範囲内にあるとき、連続する３つの硬貨隙間ｓのうちの中央の硬貨隙間ｓを硬貨ｃ間の硬貨隙間ｓではなく傷であると判断する。当然、この傷を硬貨隙間ｓとして計数することはない。
【００８１】
また、過不足検出制御部９６は、上記した硬貨隙間ｓ間の磁気センサ９５の出力信号から、異常としての異金種硬貨の有無を判断する。つまり、出力信号において、一の硬貨隙間ｓを検出してからこれに移動方向下流側で隣り合う次の硬貨隙間ｓを検出するまでの包装硬貨Ｃの移動距離である硬貨隙間ｓ間の距離を、すべて、指定金種データに対応する金種の予め定められた厚さ基準範囲と比較する。そして、いずれかの硬貨隙間ｓ間の距離が、厚さ基準範囲外である場合に、異常としての異金種硬貨の混入ありと判断する一方、すべての硬貨隙間ｓ間の距離が厚さ基準範囲内にあれば、異金種硬貨の混入なしと判断する。異金種硬貨が混入していると判断すると、過不足検出制御部９６は、その旨のアラームを画像表示部１０７および音声出力部１０８により出力させる。
【００８２】
また、過不足検出制御部９６は、出力信号において、一の硬貨隙間ｓを検出してからこれに移動方向下流側で隣り合う次の硬貨隙間ｓを検出するまでの包装硬貨Ｃの移動距離である硬貨隙間ｓ間の距離のすべてについて、隣り合うもの同士で比較を行う。そして、隣り合うもの同士の差が、いずれかにおいて、指定金種データに対応する金種の予め定められた差分基準範囲外である場合に、異常としての異金種硬貨の混入ありと判断する一方、すべてについて、差分基準範囲内にあれば、異金種硬貨の混入なしと判断する。異金種硬貨が混入していると判断すると、過不足検出制御部９６は、その旨のアラームを画像表示部１０７および音声出力部１０８により出力させる。
【００８３】
また、過不足検出制御部９６は、硬貨ｃ間の硬貨隙間ｓを検出する度に、一つの硬貨隙間ｓを検出している間の包装硬貨Ｃの移動距離（図７に示すｗ）を、指定金種データに対応する金種の予め定められた硬貨隙間基準値と比較する。そして、いずれかの硬貨隙間ｓについて包装硬貨Ｃの移動距離が硬貨隙間基準値より大きい場合には、異常としての変形硬貨（折れ硬貨）の混入ありを判断する一方、すべての硬貨隙間ｓについて包装硬貨Ｃの移動距離が硬貨隙間基準値以下であれば、変形硬貨の混入なしを判断する。変形硬貨が混入していると判断すると、過不足検出制御部９６は、その旨のアラームを画像表示部１０７および音声出力部１０８により出力させる。つまり、図６に示すように、包装硬貨Ｃ中に、折れ硬貨ｃ１が混入している場合、硬貨隙間ｓを検出している間の図７に示す移動距離ｗが大きくなるため、この移動距離ｗを検出することで変形硬貨を検出する。
【００８４】
そして、過不足検出制御部９６は、上記検出期間において計数された硬貨隙間ｓの数に１を加えた数を集積硬貨検出枚数とするとともに、この集積硬貨検出枚数を予め定められた包装基準枚数と比較することで、包装硬貨Ｃの硬貨枚数の過不足の有無を判定する。つまり、集積硬貨検出枚数が指定金種データに対応する金種の予め定められた包装基準枚数と一致すれば、包装硬貨Ｃの硬貨枚数に過不足がないと判定する一方、これら集積硬貨検出枚数と包装基準枚数とが一致しなければ、包装硬貨Ｃの硬貨枚数に過不足があると判定して、その旨のアラームを画像表示部１０７および音声出力部１０８により出力させる。
【００８５】
そして、過不足検出制御部９６は、変形硬貨および異金種硬貨のいずれも混入がなく、包装硬貨Ｃの硬貨枚数に過不足がない場合に、全体制御部１０５に包装硬貨Ｃが正常である旨の信号を出力する一方、変形硬貨および異金種硬貨のいずれかの混入があり、あるいは包装硬貨Ｃの硬貨枚数に過不足がある場合に、全体制御部１０５に包装硬貨Ｃが異常である旨の信号を出力する。全体制御部１０５は、包装硬貨Ｃが正常である旨の信号を受け付けると、ゲートソレノイド６６でゲートをロールシュート側に切り換え、包装硬貨Ｃが異常である旨の信号を受け付けると、ゲートソレノイド６６でゲートをリジェクトボックス側に切り換える。これにより、正常な集積硬貨を包装した包装硬貨Ｃであればロールシュートに落下し、異常な集積硬貨を包装した包装硬貨Ｃであればリジェクトボックスに落下する。
【００８６】
以上に述べた本実施形態の包装硬貨搬送機構７１によれば、搬送ベルト７４がこれに載置された包装硬貨Ｃをその軸線方向に沿って搬送すると、ガイド部８１がこの搬送中の包装硬貨Ｃの径方向の位置決めを行うことになり、このようにガイド部８１によって位置決めされた包装硬貨Ｃと搬送ベルト７４を挟んで対向する位置に配置された磁気センサ９５が磁気データを検出して、過不足検出制御部９６がこの磁気センサ９５の出力信号に基づいて包装硬貨Ｃの異常としての硬貨枚数の過不足の有無を判定する。このように、磁気センサ９５の出力信号を用いるため、変形硬貨による影響を排除可能となる。したがって、例え変形硬貨が混入していたとしても包装硬貨Ｃの硬貨枚数の過不足の有無を適正に判定することができる。つまり、包装硬貨Ｃの長さで集積枚数の過不足を判定するものであると、硬貨枚数が不足していても変形硬貨が混入していることで包装硬貨Ｃの全長が長くなった場合に、硬貨枚数が適正であると判定してしまう可能性があるが、このような誤判定を防止することができる。また、包装硬貨Ｃの長さで集積枚数の過不足を判定するものであると、適正枚数が集積された集積硬貨の一部に流通には支障のない程度であるが集積硬貨の長さ寸法に影響を与える変形硬貨が混入した状態で包装されてしまったときに、過不足があると判定してこれを排除してしまう可能性があるが、このような誤判定も防止することができる。
【００８７】
また、搬送ベルト７４上に載置される包装硬貨Ｃに対して、搬送ベルト７４を挟んで対向する位置に磁気センサ９５を配置するため、金種によらずに包装硬貨Ｃと磁気センサ９５との高さ関係を一定にすることができる。したがって、磁気センサ９５の金種による高さ調整が不要となり、簡素な構造で硬貨枚数の過不足の有無を判定することができる。
【００８８】
また、支持機構８３が、包装硬貨搬送部７７の搬送ベルト７４で搬送中の包装硬貨Ｃを径方向両側から挟んで案内する二つのガイドブロック８２を互いに近接離間可能となるように支持し、これら二つのガイドブロック８２により包装硬貨Ｃを、搬送ベルト７４と接する当接位置が金種に関わらず略一定となるように径方向に位置決めする。したがって、簡素な構造で全金種の包装硬貨Ｃの径方向の位置決めを行うことができる。
【００８９】
また、過不足検出制御部９６は、磁気センサ９５の出力信号から包装硬貨Ｃの硬貨ｃ間の硬貨隙間ｓを検出し、この硬貨隙間ｓの数から包装硬貨Ｃの硬貨枚数の過不足の有無を判定するため、変形や摩耗による影響が累積してしまう、包装硬貨Ｃの全長から硬貨枚数の過不足の有無を判定する場合と比べて、変形や摩耗の累積による影響をも受けにくく、より正確に硬貨枚数の過不足の有無を判定することができる。
【００９０】
また、過不足検出制御部９６は、磁気センサ９５の出力信号値の変化量が、予め定められた開始基準値になると包装硬貨Ｃの検出開始を判断し、予め定められた終了基準値になると包装硬貨Ｃの検出終了を判断することになるため、検出開始から検出終了までの適正な検出期間における磁気センサ９５の出力信号から包装硬貨Ｃの硬貨枚数の過不足の有無を判定することができる。
【００９１】
また、過不足検出制御部９６は、上記検出期間における磁気センサ９５の出力信号値の変化量が予め定められた硬貨隙間検出基準値になると硬貨ｃ間の硬貨隙間ｓがあると判断するため、硬貨ｃ間の硬貨隙間ｓを適正に検出することができる。
【００９２】
また、硬貨隙間検出基準値が、硬貨ｃの金種毎に予め定められて記憶されているため、金種毎に適正に、硬貨ｃ間の硬貨隙間ｓを検出することができる。
【００９３】
また、硬貨隙間検出基準値が、包装すべき金種の設定に合わせて選択されるため、選択された設定金種の硬貨ｃ間の硬貨隙間ｓを適正に検出することができる。
【００９４】
また、過不足検出制御部９６が、硬貨隙間ｓ間の距離つまり硬貨ｃの厚さが予め定められた厚さ基準値より小さいときに異常としての変形硬貨（つぶれ硬貨）の混入と判断するため、変形硬貨の混入を適正に検出することができる。
【００９５】
また、過不足検出制御部９６が、連続する３つの硬貨隙間ｓにおいて隣り合う硬貨隙間ｓ間の２つの距離の少なくとも一方が予め定められた厚さ基準値より小さく、かつ、一番目の硬貨隙間ｓと三番目の硬貨隙間ｓとの間の距離が予め定められた厚さ基準範囲内にあるとき、連続する３つの硬貨隙間ｓのうちの中央の硬貨隙間ｓを硬貨ｃ間の硬貨隙間ｓでないと判断するため、硬貨外周面についた傷などによる影響を排除可能となる。
【００９６】
また、過不足検出制御部９６は、硬貨ｃ間の硬貨隙間ｓの数に１を加えた数を集積硬貨検出枚数とするとともに、この集積硬貨検出枚数を予め定められた包装基準枚数と比較することで、包装硬貨Ｃの硬貨枚数の過不足の有無を判定するため、変形や摩耗による影響が累積してしまう、包装硬貨Ｃの全長から硬貨枚数の過不足の有無を判定する場合と比べて、より正確に硬貨枚数の過不足の有無を判定することができる。
【００９７】
また、過不足検出制御部９６が、硬貨隙間ｓ間の磁気センサ９５の出力信号値から異常としての異金種の有無を判断することになるため、異金種の混入を検出することができる。
【００９８】
また、過不足検出制御部９６が、硬貨隙間ｓ間の磁気センサ９５の出力信号値が集積されるべき金種の基準範囲外であるときに異金種であると判断するため、適正に異金種の混入を検出することができる。
【００９９】
また、過不足検出制御部９６が、硬貨隙間ｓ間の磁気センサ９５の出力信号値の隣り合うもの同士の差が予め定められた基準範囲外であるときに異金種であると判断するため、適正に異金種の混入を検出することができる。
【０１００】
また、過不足検出制御部９６が、一つの硬貨隙間ｓを検出する間の包装硬貨Ｃの移動距離情報から異常としての変形硬貨（折れ硬貨）の混入を判断するため、変形硬貨の混入を検出することができる。一つの硬貨隙間ｓを検出する間の包装硬貨Ｃの移動距離が長ければ、包装硬貨Ｃの全長も長くなるため、枚数が適正で全長が基準全長より長ければ、変形硬貨の混入ありと判断するようにしても良い。
【０１０１】
また、過不足検出制御部９６が、集積硬貨枚数の過不足、変形硬貨の混入および異金種硬貨の混入の少なくともいずれか一つからなる異常を検出したときに警告することになるため、異常が見逃されてしまうことを防止できる。
【符号の説明】
【０１０２】
７１  包装硬貨搬送機構
７４  搬送ベルト
７７  包装硬貨搬送部（包装硬貨搬送手段）
８１  ガイド部（ガイド手段）
８２  ガイドブロック
８３  支持機構（支持手段）
９５  磁気センサ
９６  過不足検出制御部（制御手段）
９７  過不足検出装置（過不足検出手段）
ｃ  硬貨
Ｃ  包装硬貨
ｓ  硬貨隙間
【図１】
0005456586.tif 000002
【図２】
0005456586.tif 000003
【図３】
0005456586.tif 000004
【図４】
0005456586.tif 000005
【図５】
0005456586.tif 000006
【図６】
0005456586.tif 000007
【図７】
0005456586.tif 000008